(57)【特許請求の範囲】
【請求項１】
望遠鏡の後方にズームレンズを装着したカメラを結合する撮影装置用アダプターであって、前記アダプターは、前記望遠鏡と前記ズームレンズを装着したカメラとの光軸方向の位置関係を変化させる可動部と、カメラから前記ズームレンズの焦点距離情報を入力する入力部と、前記入力部から入力された焦点距離情報に応じて前記望遠鏡の射出瞳の位置と前記ズームレンズの入射瞳の位置がほぼ一致するように、前記望遠鏡と前記カメラとの最適位置情報を出力する出力部とを有することを特徴とする撮影装置用アダプター。
【請求項２】
前記撮影装置用アダプターは、前記カメラに装着されたズームレンズのとる焦点距離に応じた、前記望遠鏡と前記カメラとの最適な位置情報を記憶する情報記憶部を有することを特徴とする、請求項１に記載の撮影装置用アダプター。
【請求項３】
前記撮影装置用アダプターは、前記可動部を駆動する駆動部と、前記駆動部を制御する制御部を有することを特徴とする請求項１または請求項２に記載の撮影装置用アダプター。
【請求項４】
前記撮影装置用アダプターは、前記望遠鏡と前記カメラとの位置関係が最適な位置にあることを表示する表示部を有することを特徴とする請求項１乃至請求項３のいずれか１項に記載の撮影装置用アダプター。
【請求項５】
前記撮影用アダプターは、前記望遠鏡の接眼部と前記カメラに装着されたズームレンズとを接続する蛇腹を備えていることを特徴とする請求項1乃至４のいずれか1項に記載の撮影装置用アダプター。
【発明の詳細な説明】
【技術分野】
【０００１】
本発明は、望遠鏡の後方にズームレンズを装着したカメラを結合する撮影装置用アダプ  ターに関する。
【背景技術】
【０００２】
望遠鏡とデジタルスチルカメラとを結合して、望遠鏡で拡大した野鳥等の遠方にある被  写体をカメラで拡大撮影することが行われている。従来から、望遠鏡とカメラを結合す  るため、双方を互いに固定する様々な撮影装置用アダプターが使われてきた。この様な  撮影装置用アダプターは、例えば
【特許文献１】に開示されている。
【特許文献１】特開２００４−２０７７０  望遠鏡の接眼レンズの後方にカメラを接続して撮影を行う場合、望遠鏡の射出瞳とカメ  ラの入射瞳をほぼ一致させないと、カメラの絞りや、撮影レンズ自体により入射光束が  ケラレてしまい、得られた写真の周辺部が暗くなり画質が低下する。従って、望遠鏡の  接眼レンズとカメラの位置関係は、双方の光学系の瞳の位置を考慮して決めることが重  要である。
【０００３】
現在普及している、コンパクト型デジタルスチルカメラに搭載されている殆どの撮影光  学系は、３倍程度のズーム比をもつズームレンズである。このようなデジタルスチルカ  メラと望遠鏡を結合して拡大撮影を行う場合、画角が大きく、瞳のずれによる光束のケ  ラレが最も発生しやすい広角側で望遠鏡光学系の射出瞳とカメラの撮影光学系の入射瞳  を一致させるが、所謂ズーミングを行って、カメラの撮影光学系の焦点距離を変化させ  ると、撮影光学系の入射瞳位置が変動するため、光束のケラレが発生し画面周辺部が暗  くなってしまう。
【０００４】
しかしながら、
【特許文献１】に開示されている如き従来の撮影装置用アダプターでは  、上記のような瞳位置の変動を補正する機構を有するものが無く、ズーミングを行った  結果、ケラレが発生しても対処できず不便であった。
【発明の開示】
【発明が解決しようとする課題】
【０００５】
本発明は、上記のような従来の問題点を解決するためになされたものであり、望遠鏡の  後方にズームレンズを装着したカメラを結合する撮影装置用アダプターであって、ズー  ムレンズでズーミングを行ってもケラレの無い写真を得られる撮影装置用アダプターを  提供することを課題としている。
【課題を解決するための手段】
【０００６】
上記目的を達成するため、本発明の撮影装置は以下の構成とする。望遠鏡の後方にズームレンズを装着したカメラを結合する撮影装置用アダプターであって、前記アダプターは、前記望遠鏡と前記ズームレンズを装着したカメラとの光軸方向の位置関係を変化させる可動部と、カメラから前記ズームレンズの焦点距離情報を入力する入力部と、前記入力部から入力された焦点距離情報に応じて前記望遠鏡の射出瞳の位置と前記ズームレンズの入射瞳の位置がほぼ一致するように、前記望遠鏡と前記カメラとの最適な位置情報を出力する出力部とを有する構成とする。
【発明の効果】
【０００７】
以上の構成をとることにより、望遠鏡の後方にズームレンズを装着したカメラを結合す  る撮影装置用アダプターであって、ズーミングにかかわらず、ケラレの無い写真を撮る  ことのできる撮影装置用アダプターを提供することができる。
【発明を実施するための最良の形態】
【０００８】
以下、添付図面に基づいて、実施の形態を説明する。
【実施例１】
【０００９】
図１は、本発明による実施形態の構成図である。
撮影装置用アダプター１００は、L字型の断面形状を持った支持部３と支持部３の上を  光軸方向に移動可能な可動部６を備える。支持部３の一端には、望遠鏡の接眼レンズ部  １が取り外し可能に結合され、可動部６上には、結合部品５を介してカメラ２が取り付  けられ、カメラを載せて前後に移動する。結合部品５は、望遠鏡光学系の光軸とカメラ  の撮影光学系の光軸調整が可能なように、カメラを上下左右に調整可能な構造となって  いる。望遠鏡接眼部１とカメラ２の撮影光学系は、外部からの迷光を防止するため、蛇  腹４で接続されている。
【００１０】
可動部６は、情報の入出力を行う入力部、出力部および駆動部を制御する制御部を有す  るコンピュータ７、可動部６を移動させる駆動部１０、望遠鏡接眼レンズ部１とカメラ  ２の位置関係情報を表示する液晶モニター等の表示部８、撮影に使用する望遠鏡とカメ  ラの、ズームレンズがとる焦点距離に応じた最適な位置を記憶しておく情報記憶部１１  、を備えている。コンピュータ７は、カメラ本体の持つ撮影情報を管理する撮影情報管  理部９から、撮影光学系のズーミングによる焦点距離の変化の情報（以下ズーミング情  報という）を取り出し、その焦点距離に応じた、望遠鏡接眼部１とカメラ２の最適な位  置関係を、情報記憶部１１に予め記憶した、ズームレンズの焦点距離に応じた、最適な  位置情報（以下最適位置情報という）から決定する。そして、望遠鏡接眼部１とカメラ  ２が最適な位置となるよう、駆動部１０を制御し可動部６を駆動する。前記望遠鏡と前  記カメラとの最適な位置とは、望遠鏡の射出瞳の位置とズームレンズの入射瞳の位置が  ほぼ一致する位置である。前記最適位置情報は、撮影に使用する、望遠鏡の射出瞳位置  とカメラに装着されたズームレンズのズーミングに伴う入射瞳位置の変化情報とから予  め算出し、情報記憶部１１に記憶させておく。この時、情報記憶部に記憶させる情報は  、カード等に記憶させたものを読ませる方式等とすれば良い。そして、前記カード等に  は、撮影に使用する、望遠鏡とズームレンズを装着したカメラとの、複数の組み合わせ  について予め記憶させておけば、機種の違う、望遠鏡とカメラの複数の組み合わせに対  応でき、より効率的である。また、前記最適位置情報は、コンピュータ７に直接入力し  てもよいことは言うまでもない。駆動部１０はコンピュータ７の出力部からの出力に従  って手動で制御しても良いし、ステッピングモーター等を用いて構成し電動とすること  により、コンピュータ７の持つ制御部に駆動部を制御させ、自動的に可動部６を移動さ  せても良い。
【００１１】
表示部８には、望遠鏡接眼レンズ部１とカメラ２の位置関係が、コンピュータ７で決定  された最適な位置関係にあることを表示するようにしておけば、望遠鏡接眼レンズ部１  とカメラ２の位置関係が最適な状態にあることを容易に確認でき、不適切な位置関係で  の撮影を防止するのに便利である。なお、前記最適な位置関係にあることの表示は、最  適位置にあるときランプを点灯させるとか、適切ならば丸印、不適切ならば×印を表示  するとか、位置関係を示す数値を出力し、文字の色を変えて適不適を表示するなど、種  々の方法が考えられる。なお、本実施形態では、カメラ２を可動部６に結合して、カメ  ラを移動させる方式としたが、望遠鏡が結合される部材を移動可能に構成しても良いこ  とは言うまでもない。また、コンピュータ７、表示部８、情報記憶部１１は、本実施形  態では可動部６に付属するよう構成したが、支持部３に付属する構成としてもよい。
【００１２】
次に、本発明を用いることにより、光束のケラレが如何に改善されるかの例を示す。
図２は、望遠鏡の接眼光学系１２とカメラの撮影光学系１３との間隔の違いにより光線  がケラレる状態を説明したものである。
【００１３】
図２Aは、広角側で望遠鏡光学系の射出瞳位置１７とカメラの撮影光学系１３の入射瞳  が一致している場合であり、望遠鏡対物レンズによる像１８から出て接眼レンズ１４か  ら射出する光線はカメラの撮影レンズ１５を射出した後、カメラの絞り１６の真中を通  過しており、ケラレは無い。しかし図2Bに示すように、接眼光学系１２とカメラの撮影  光学系１３の間隔が適正でない場合は、カメラの絞り１６に光線が遮られて、画面周辺  部は暗くなってしまう。図３は、３５mm判換算で焦点距離３５mmに対応する画角を含む  ズームレンズを例として、上述のようなケラレの様子を示すものであり、広角側から望  遠側にズーミングした場合の画面周辺部光量変化の一例である。図３によればズーミン  グを行って画角を変化させた際、広角側に近いところで特に急激に周辺光束がケラレ、  光量が低下しているのが判る。
【００１４】
この様な状態を避けるためには、図2Cに示すように、カメラの撮影光学系１３を望遠鏡  の接眼光学系１２に接近させることにより、カメラの絞り１６によるケラレを解消する  ことが出来る。即ち、図２Bに対応するズームレンズの焦点距離に応じた、望遠鏡の接  眼光学系１２とカメラの撮影光学系１３の最適な間隔を、予め計算して記憶させ、図2B  に対応する焦点距離をズームレンズがとった際には、図2Cの状態になるよう撮影装置の  可動部４を移動させケラレを避けるようにすればよい。
【００１５】
図4は、本発明を適用した時、広角側から望遠側にズーミングした場合の画面周辺部光  量変化を表したもので、全ズーム域で、光量の極端な変動が無く、画面周辺部にケラレ  の無い、良好な画像が得られることが判る。
【図面の簡単な説明】
【００１６】
【図１】本発明による実施形態の構成図
【図２】ケラレ発生の説明図
【図３】ケラレがある場合の画面周辺部光量変化例を示す図
【図４】本発明を適用した時の広角側から望遠側にズーミングした場合の画面周辺部光          量変化の一例を表す図
【符号の説明】
【００１７】
１  望遠鏡の接眼レンズ部
２  カメラ
３  撮影装置用アダプターの支持部
４  蛇腹
５  カメラと撮影装置の結合部品
６  撮影装置用アダプターの可動部
７  コンピュータ
８  表示部
９  カメラの撮影情報管理部
１０  駆動部
１１  情報記憶部
１２  望遠鏡の接眼光学系
１３  カメラの撮影光学系
１４  接眼レンズ
１５  カメラの撮影レンズ
１６  カメラの絞り
１７  望遠鏡光学系の射出瞳位置
１８  望遠鏡対物レンズによる観察物体の像
１９  カメラの像面
【図１】
0004394049.tif 000002
【図２】
0004394049.tif 000003
【図３】
0004394049.tif 000004
【図４】
0004394049.tif 000005